(57)【特許請求の範囲】
【請求項１】
容器体（１）の口部へ装着させたポンプ（１０）内から起立するステム（２０）へ嵌合させたノズルヘッド（３０）の押下げで容器体（１）の内容物を吐出可能に設けた吐出容器であって、
前記ノズルヘッド（３０）周面にノズル孔（３２Ａ）と作動規制突部（３２Ｂ）を設け、
さらに容器体（１）の胴部外面へカバー筒（４０）を上下動自在に嵌合させると共に、カバー筒（４０）の頂壁（４３）にノズルヘッド（３０）の上端部が嵌合可能な嵌合孔（４４）を形成し、該嵌合孔（４４）の周縁下面に、作動規制突部（３２Ｂ）下面へ係合可能な作動規制部（４５）を設け、
該カバー筒（４０）は、不使用時に前記作動規制部（４５）が前記作動規制突部（３２Ｂ）下面へ係合して前記ノズルヘッド（３０）の押下げを規制する上限位置と、前記作動規制部（４５）が前記作動規制突部（３２Ｂ）下面から離間して前記ノズルヘッド（３０）の押下げを許容する下限位置とを取り、
前記ノズルヘッド（３０）は、ノズル孔（３２Ａ）を備えたノズルヘッド本体（３０Ａ）と、該ノズルヘッド本体（３０Ａ）へ嵌合させたノズルカバー（３０Ｂ）とから構成され、該ノズルカバー（３０Ｂ）の頂壁に設けた外向きフランジ状突部で前記作動規制突部（３２Ｂ）を構成すると共に、前記カバー筒（４０）の頂壁（４３）の嵌合孔（４４）を介して前記ノズルカバー（３０Ｂ）を前記ノズルヘッド本体（３０Ａ）へ嵌合可能にしたことを特徴とする吐出容器。
【請求項２】
前記作動規制部（４５）は前記嵌合孔（４４）の周縁下面に設けた内向きフランジ状突部からなることを特徴とする請求項１記載の吐出容器。
【請求項３】
前記ノズルカバー（３０Ｂ）の頂壁から位置合せ用突部（３５Ａ）を垂下すると共に、前記ノズルヘッド本体（３０Ａ）の頂壁に前記位置合せ用突部（３５Ａ）が挿通可能な透孔（３３Ａ）を形成したことを特徴とする請求項１又は２記載の吐出容器。
【請求項４】
前記容器体（１）の胴部外面と前記カバー筒（４０）内面とのいずれか一方に溝部（８）を、かつ他方に突部（４１）を設けて、該突部（４１）を前記溝部（８）へ摺動自在に嵌合させると共に、該溝部（８）の上下両端部内面に前記突部（４１）が強制乗越え可能な該突部固定用のリブ（８ｃ、８ｃ）を設けたことを特徴とする請求項１ないし３のいずれか１項記載の吐出容器。
【請求項５】
前記溝部（８）を螺旋状に形成して、前記カバー筒（４０）の回動で該カバー筒（４０）が上下動可能となるようにしたことを特徴とする請求項４記載の吐出容器。
【発明の詳細な説明】
【技術分野】
【０００１】
本発明は、ノズルヘッドの押下げで容器体内容物を吐出可能な吐出容器に関する。
【背景技術】
【０００２】
不使用時にノズルヘッドの不用意な押下げによる吐出を防止すべくノズルヘッドへキャップを嵌合可能にしたもの、あるいはノズルヘッドを容器体へ固定させることで押下げを防止可能にした吐出容器が従来技術として知られている。
【先行技術文献】
【特許文献】
【０００３】
【特許文献１】特開平０８−１１９２１号公報
【特許文献２】特開平０８−１６９４６２号公報
【発明の概要】
【発明が解決しようとする課題】
【０００４】
しかしながら、従来技術の前者では使用時にキャップを容器体から取外すためキャップを紛失するおそれがあり、また後者ではノズルヘッドは露出状態にあるため外観向上の観点から好ましいものではなかった。
【０００５】
本発明は、上記課題を解決するためになされたもので、キャップとしてのカバー筒の紛失のおそれがなく、また外観性の向上が図れる吐出容器を提供することを目的とする。
【課題を解決するための手段】
【０００６】
上記課題を解決するために、本発明は、容器体１の口部へ装着させたポンプ１０内から起立するステム２０へ嵌合させたノズルヘッド３０の押下げで容器体１の内容物を吐出可能に設けた吐出容器であって、
前記ノズルヘッド３０周面にノズル孔３２Ａと作動規制突部３２Ｂを設け、
さらに容器体１の胴部外面へカバー筒４０を上下動自在に嵌合させると共に、カバー筒４０の頂壁４３にノズルヘッド３０の上端部が嵌合可能な嵌合孔４４を形成し、該嵌合孔４４の周縁下面に、作動規制突部３２Ｂ下面へ係合可能な作動規制部４５を設け、
該カバー筒４０は、不使用時に前記作動規制部４５が前記作動規制突部３２Ｂ下面へ係合して前記ノズルヘッド３０の押下げを規制する上限位置と、前記作動規制部４５が前記作動規制突部３２Ｂ下面から離間して前記ノズルヘッド３０の押下げを許容する下限位置とを取り、 前記ノズルヘッド３０は、ノズル孔３２Ａを備えたノズルヘッド本体３０Ａと、該ノズルヘッド本体３０Ａへ嵌合させたノズルカバー３０Ｂとから構成され、該ノズルカバー３０Ｂの頂壁に設けた外向きフランジ状突部で前記作動規制突部３２Ｂを構成すると共に、前記カバー筒４０の頂壁４３の嵌合孔４４を介して前記ノズルカバー３０Ｂを前記ノズルヘッド本体３０Ａへ嵌合可能にしたことを特徴とする。
【０００８】
さらに、本発明は、前記作動規制部４５は前記嵌合孔４４の周縁下面に設けた内向きフランジ状突部からなることを特徴とする。
【００１０】
さらに、本発明は、前記ノズルカバー３０Ｂの頂壁から位置合せ用突部３５Ａを垂下すると共に、前記ノズルヘッド本体３０Ａの頂壁に前記位置合せ用突部３５Ａが挿通可能な透孔３３Ａを形成したことを特徴とする。
【００１１】
さらに、本発明は、前記容器体１の胴部外面と前記カバー筒４０内面とのいずれか一方に溝部８を、かつ他方に突部４１を設けて、該突部４１を前記溝部８へ摺動自在に嵌合させると共に、該溝部８の上下両端部内面に前記突部４１が強制乗越え可能な該突部固定用のリブ８ｃ、８ｃを設けたことを特徴とする。
【００１２】
さらに、本発明は、前記溝部８を螺旋状に形成して、前記カバー筒４０の回動で該カバー筒４０が上下動可能となるようにしたことを特徴とする。
【発明の効果】
【００１３】
本発明は、容器体の胴部へカバー筒を嵌合させるため、カバー筒を紛失するおそれがない。
【００１４】
また、本発明は、不使用時に、ノズルヘッドを覆うカバー筒を備えているため、外観性の向上を図ることができる。
【００１５】
さらに、本発明は、カバー筒は、不使用時に作動規制部が作動規制突部下面へ係合してノズルヘッドの押下げを規制するため、ノズルヘッドの不用意な押下げを防止することができる。
【００１６】
さらに、本発明は、ノズルヘッドをノズルヘッド本体とノズルカバーとの二部材で構成したので、ノズルヘッド付きポンプを容器体へ装着させ、次いでカバー筒を取り付けた後、ノズルカバーをノズルヘッドへ嵌合させることが可能であるから、容器の組立が容易である。
【図面の簡単な説明】
【００１７】
【図１】本発明に係る吐出容器の要部の分解斜視図である。
【図２】カバー筒の下限位置における吐出容器の前面図である。
【図３】図２の前断面作用説明図である。
【図４】図３の平面図である。
【図５】図３の側断面図である。
【図６】溝部の展開図である。
【図７】ノズルヘッドの変形例を示す斜視図である。
【発明を実施するための形態】
【００１８】
以下に本発明の実施の形態について、図面を参照しながら詳細に説明する。
【００１９】
１は容器体で、周壁２上端から肩部を介して口頸部３を起立すると共に、周壁２上部外面の上半部を上向き段部４を介して小外径部に形成し、小外径部下部外面に係合突条５を周設し、かつ該小外径部外面へ補助筒６を嵌合させている。
【００２０】
補助筒６は周壁２の肩部へ係合させた内向きフランジ７から内外二重筒を垂下して、内筒を係合突条５へ係合させると共に、外筒外面に螺旋状の溝部８を形成している。溝部８は螺旋部８ａと、螺旋部の上下両端に連設された周方向への水平部８ｂ、８ｂとから形成され、かつ水平部と螺旋部との境界部にはリブ８ｃ、８ｃが形成されている。溝部８は平面視約９０度の角度、すなわち四分の一円周角度に設定するのが好ましい。周壁２と補助筒６は容器体の胴部９を構成する。
【００２１】
１０はポンプで、容器体内へ垂下するシリンダ１１上端を容器体口頸部上端へ係合させると共に、シリンダ１１内へ環状ピストン(図示せず)を上方付勢状態で上下動自在に嵌合させている。
【００２２】
２０は環状ピストンから起立するステムで、容器体口頸部へ螺合させた装着筒１４上壁の透孔へ上下動自在に挿通させている。
【００２３】
３０はノズルヘッドで、ノズルヘッド本体３０Ａとノズルカバー３０Ｂとから構成されていて、ノズルヘッド本体３０Ａは、ステム２０上端部へ嵌合させた上面開口の嵌合溝付き連結筒２０ａの嵌合溝２０ｂへ嵌合させた嵌合筒３１Ａと、該嵌合筒を囲む外筒３６Ａとを備え、嵌合筒３１Ａを介してステムへ連通するノズル孔３２Ａを外筒３６Ａに形成すると共に、嵌合筒３１Ａの頂壁の左右両部に後述のノズルカバーの位置合せ用突部が挿通可能な透孔３３Ａを形成する。その際、一対の透孔の前後方向への長さを異ならせることでノズルカバーの向きを適正にして、ノズルカバーでノズル孔が閉塞されることがないようにする。さらに外筒３６Ａの左右両部にノズルカバーが係合可能な突起３４Ａを形成する。
【００２４】
ノズルカバー３０Ｂは周壁３１Ｂ上面を閉塞する頂壁に外向きフランジ状突部を設けて作動規制突部３２Ｂを形成すると共に、該頂壁から透孔３３Ａへ挿通可能な一対の板状の位置合せ用突部３５Ａを垂下し、さらに周壁３１Ｂ前部を切除してノズル孔用間隙部３３Ｂを形成すると共に、該周壁内面の左右両部に突起３４Ａへ係合可能な突起(図示せず)を形成する。
【００２５】
４０はカバー筒で、その下部を補助筒６外面へ回動自在かつ上下動自在に嵌合させると共に、内面に突設した突部４１を補助筒６の溝部８へ摺動自在に嵌合させており、カバー筒４０の上限位置では突部４１は上方に位置する水平部８ｂに、また下限位置では下方に位置する水平部８ｂに、それぞれ嵌合すると共に、カバー筒４０を回動させるとリブ８ｃ、８ｃを強制的に乗越えて螺旋部８ａへ移行する。
【００２６】
カバー筒４０頂壁４３に、ノズルカバー３０Ｂの外向きフランジ状突部からなる作動規制突部３２Ｂが嵌合可能な嵌合孔４４を設けて、該嵌合孔の周縁下面に内向きフランジ状突部からなる作動規制部４５を設ける。
【００２７】
次に本実施形態の作用について説明する。
ノズル孔３２Ａから容器体内容物を吐出させるには、カバー筒４０を下降させた状態で、ノズルヘッド３０を押下げればよく、すると図示しない環状ピストンが下降して容器体内容物がステムを介してノズル孔３２Ａから吐出する。
【００２８】
不使用時には、カバー筒４０を例えば反時計方向へ回動させればよく、すると下方の水平部に位置する突部４１がリブを乗越えて螺旋部へ移行して上方へ移動するため、これと共にカバー筒４０が上昇して作動規制部４５が作動規制突部３２Ｂ下面へ当接し、同時に突部４１はリブを乗越えて上方の水平部へ嵌合する。このように作動規制部４５が作動規制突部３２Ｂ下面へ当接するため、ノズルヘッドの不用意な押下げを防止することが可能である。
【００２９】
使用時には、上記のようにカバー筒４０を下降させるのであるが、そのためにカバー筒を回動させると、上方の水平部に位置する突部４１がリブを乗越えて螺旋部へ移行し、これと共にカバー筒が下降する。
【００３０】
次に組立の手順について説明する。まず、ノズルヘッド本体をステムへ取り付けたポンプを容器体の口頸部へ装着し、次いでカバー筒４０を補助筒６外面へ嵌合させて突部４１を溝部８へ嵌合させた後、該カバー筒４０を下降させ、続いてカバー筒の嵌合孔４４から突出するノズルヘッド本体の外筒３６Ａへノズルカバー４０を嵌合させる。その際、位置合せ用突部３５Ａを透孔３３Ａへ挿通させることでノズルカバーの向きを適正にする。
【００３１】
上記では作動規制部４５は、カバー筒４０の頂壁４３に設けたが、これに限らず、例えば、カバー筒４０の周面から突設することも可能である。また、作動規制部４５および作動規制突部３２Ｂは上記ではフランジ状に形成されているが、これに限定されることなく、例えば多数の突起を等間隔に配列することによっても同一の作用効果が得られる。さらに、溝部８は螺旋状に設けたが、上下方向への直線状に形成することも可能である。
【００３２】
なお、上記ではノズルヘッドはノズルヘッド本体３０Ａとノズルカバー３０Ｂとの二部材から構成されているが、これに限らず図７に示すように、これらを一体に形成することも可能である。すなわち、ノズルヘッド本体３０Ａの嵌合筒３１Ａ頂壁に作動規制突部３２Ｂとしての外向きフランジ状突部を形成すると共に透孔３３Ａと突起３４Ａを省略する。そして、この場合には、まずポンプ１０を容器体口頸部へ嵌合させた後、カバー筒４０を容器体胴部へ嵌合させ、次いでカバー筒４０の頂壁４３の嵌合孔４４から突出するステム２０へノズルヘッド３０を嵌合させる。
【産業上の利用可能性】
【００３３】
本発明は、ノズルヘッドの押下げで容器体内容物を吐出可能な吐出容器の分野に利用することができる。
【符号の説明】
【００３４】
８  溝部
８ｃ、８ｃ  リブ
２０  ステム
３０  ノズルヘッド
３１Ａ  嵌合筒
３０Ａ  ノズルヘッド本体
３０Ｂ  ノズルカバー
３２Ａ  ノズル孔
３３Ａ  透孔
３２Ｂ  作動規制突部
３５Ａ  位置合せ用突部
４１  突部
４３  頂壁
４４  嵌合孔
４５  作動規制部
【図１】
0005392773.tif 000002
【図２】
0005392773.tif 000003
【図３】
0005392773.tif 000004
【図４】
0005392773.tif 000005
【図５】
0005392773.tif 000006
【図６】
0005392773.tif 000007
【図７】
0005392773.tif 000008